(57)【特許請求の範囲】
【請求項１】
スパウトの注出筒にタンパーエビデントバンド付キャップが螺着し、前記スパウトの環状台座部の外周面上方に複数個の仮止め突起を周方向に等間隔に設け、前記キャップのキャップ本体を螺脱回転方向へ回転したときに、前記タンパーエビデントバンドの内周面の周方向に設けられた複数個の係止フラップと前記スパウトの注出筒外周面の雄ねじ下方に設けられている係止リングとの係合作用によって、前記キャップ本体と前記タンパーエビデントバンドを接続する複数個の脆弱ブリッジが切断されて、前記タンパーエビデントバンドの螺着回転方向の端部上面が、前記複数個の脆弱ブリッジより強い脆弱ブリッジで前記キャップ本体の周壁下面と繋がって螺脱する口栓において、前記タンパーエビデントバンドの内周面の周方向に設ける複数個の係止フラップのうち、螺着回転方向の端部側の係止フラップを他の係止フラップより幅広の嵌合が強い係止フラップにし、かつ前記タンパーエビデントバンドの下面と前記スパウトの環状台座部の上面との間に、少なくとも０．３ｍｍの隙間を設けたことを特徴とするタンパーエビデント機能付口栓。
【請求項２】
スパウトの注出筒にタンパーエビデントバンド付キャップが螺着し、前記タンパーエビデントバンドの外周面上方に複数個の仮止め突起を周方向に等間隔に設け、前記キャップのキャップ本体を螺脱回転方向へ回転したときに、前記タンパーエビデントバンドの内周面の周方向に設けられた複数個の係止フラップと前記スパウトの注出筒外周面の雄ねじ下方に設けられている係止リングとの係合作用によって、前記キャップ本体と前記タンパーエビデントバンドを接続する複数個の脆弱ブリッジが切断されて、前記タンパーエビデントバンドの螺着回転方向の端部上面が、前記複数個の脆弱ブリッジより強い脆弱ブリッジで前記キャップ本体の周壁下面と繋がって螺脱する口栓において、前記タンパーエビデントバンドの内周面の周方向に設ける複数個の係止フラップのうち、螺着回転方向の端部側の係止フラップを他の係止フラップより幅広の嵌合が強い係止フラップにし、かつ前記タンパーエビデントバンドの下面と液体用紙容器上面との間に、少なくとも０．３ｍｍの隙間を設けたことを特徴とするタンパーエビデント機能付口栓。
【発明の詳細な説明】
【技術分野】
【０００１】
本発明は、食品や非食品の液体内容物を収納する液体用紙容器の注出位置に、内付けで突設するタンパーエビデント機能付口栓に関するものである。
【背景技術】
【０００２】
従来、流通過程や店頭における液体内容物を収納する液体用紙容器の不正開封を防止するために、不正開封されたことを認知することが可能な口栓として、タンパーエビデント機能付口栓が使用されていた。このタンパーエビデント機能付口栓は、スパウト（注出口具）と、このスパウトに螺着するキャップとからなり、キャップは、キャップ本体の下方に、複数個の脆弱ブリッジを介して、タンパーエビデントバンド（ｔａｍｐｅｒ  ｅｖｉｄｅｎｔ  ｂａｎｄ）が接続するものであった。そして、容器を開封するために、キャップ本体を螺脱方向へ回転すると、タンパーエビデントバンドの内周面に設けられている係止フラップの作用によって、キャップ本体とタンパーエビデントバンドとを接続する複数個の脆弱ブリッジが切断されて、タンパーエビデントバンドがキャップ本体から分離するものであり、このタンパーエビデントバンドのキャップ本体からの分離により、事前に不正開封されたことを認知するものであった。なお、キャップ本体をスパウトから螺脱したときに、タンパーエビデントバンドの螺着方向の端部上面が、キャップ本体の下面に、螺脱回転時に破断しない強度をもつ一箇所の脆弱ブリッジで繋がってスパウトから取り外されるものであった（例えば、特許文献１を参照。）。
【特許文献１】特公平６−８８６０２号公報
【発明の開示】
【発明が解決しようとする課題】
【０００３】
しかしながら、上述の従来のタンパーエビデント機能付口栓は、一旦、不正開封されて、そのまま、キャップ（キャップ本体とタンパーエビデントバンド）をスパウトに螺着して置くと、一見して不正開封されたことが分からないことがあった。
【０００４】
本発明は、上述の従来の従来のタンパーエビデント機能付口栓の問題点を解決したものであり、一旦、不正開封されると、キャップ（キャップ本体とタンパーエビデントバンド）をスパウトに螺着して再封していても、一見して、不正開封されたことが明確に認知することができるタンパーエビデント機能付口栓を提供するものである。
【課題を解決するための手段】
【０００５】
すなわち、本発明の第１の発明は、スパウトの注出筒にタンパーエビデントバンド付キャップが螺着し、前記スパウトの環状台座部の外周面上方に複数個の仮止め突起を周方向に等間隔に設け、前記キャップのキャップ本体を螺脱回転方向へ回転したときに、前記タンパーエビデントバンドの内周面の周方向に設けられた複数個の係止フラップと前記スパウトの注出筒外周面の雄ねじ下方に設けられている係止リングとの係合作用によって、前記キャップ本体と前記タンパーエビデントバンドを接続する複数個の脆弱ブリッジが切断されて、前記タンパーエビデントバンドの螺着回転方向の端部上面が、前記複数個の脆弱ブリッジより強い脆弱ブリッジで前記キャップ本体の周壁下面と繋がって螺脱する口栓において、前記タンパーエビデントバンドの内周面の周方向に設ける複数個の係止フラップのうち、螺着回転方向の端部側の係止フラップを他の係止フラップより幅広の嵌合が強い係止フラップにし、かつ前記タンパーエビデントバンドの下面と前記スパウトの環状台座部の上面との間に、少なくとも０．３ｍｍの隙間を設けたことを特徴とするタンパーエビデント機能付口栓である。
【０００６】
そして、本発明の第２の発明は、スパウトの注出筒にタンパーエビデントバンド付キャップが螺着し、前記タンパーエビデントバンドの外周面上方に複数個の仮止め突起を周方向に等間隔に設け、前記キャップのキャップ本体を螺脱回転方向へ回転したときに、前記タンパーエビデントバンドの内周面の周方向に設けられた複数個の係止フラップと前記スパウトの注出筒外周面の雄ねじ下方に設けられている係止リングとの係合作用によって、前記キャップ本体と前記タンパーエビデントバンドを接続する複数個の脆弱ブリッジが切断されて、前記タンパーエビデントバンドの螺着回転方向の端部上面が、前記複数個の脆弱ブリッジより強い脆弱ブリッジで前記キャップ本体の周壁下面と繋がって螺脱する口栓において、前記タンパーエビデントバンドの内周面の周方向に設ける複数個の係止フラップのうち、螺着回転方向の端部側の係止フラップを他の係止フラップより幅広の嵌合が強い係止フラップにし、かつ前記タンパーエビデントバンドの下面と液体用紙容器上面との間に、少なくとも０．３ｍｍの隙間を設けたことを特徴とするタンパーエビデント機能付口栓である。
【発明の効果】
【０００７】
本発明のスパウトの環状台座部に仮止め突起を設けた図１に示すタンパーエビデント機能付口栓（１０）は、タンパーエビデントバンドの内周面の周方向に設ける複数個の係止フラップのうち、図２（ａ）に示すように、螺着回転方向（Ｘ）の端部側の係止フラップを他の係止フラップ（１２５）より幅広の嵌合が強い係止フラップ（１２４）にしているため、キャップ本体を螺脱回転方向（Ｙ）へ回転し、キャップ本体とタンパーエビデントバンドを接続する複数個の脆弱ブリッジが切断されて、タンパーエビデントバンドの螺着回転方向の端部上面とキャップ本体の周壁下面とが強い脆弱ブリッジで繋がってタンパーエビデントバンドがキャップ本体から分離したときに、図２（ｂ）に示すように、螺脱回転方向のタンパーエビデントバンド（１２０）のキャップ本体（１１０）からの開きが大きく、また、図１に示すように、タンパーエビデントバンド（１２０）の下面とスパウト（２００）の環状台座部（２１０）の上面との間に、少なくとも０．３ｍｍの隙間（ｈ）が設けられているため、不正開封されたキャップ（キャップ本体とタンパーエビデントバンド）をスパウトに螺着して再封していても、一見して、不正開封されたことを明確に認知することができる。尚、前記間隙は０．５ｍｍ以上であるのが望ましく、さらには長ければ長い方が良い。
【０００８】
また、本発明のタンパーエビデントバンドに仮止め突起を設けた図３に示すタンパーエビデント機能付口栓（１０）は、タンパーエビデントバンドの内周面の周方向に設ける複数個の係止フラップのうち、図２（ａ）に示すように、螺着回転方向（Ｘ）の端部側の係止フラップを他の係止フラップ（１２５）より幅広の嵌合が強い係止フラップ（１２４）にしているため、キャップ本体を螺脱回転方向（Ｙ）へ回転し、キャップ本体とタンパーエビデントバンドを接続する複数個の脆弱ブリッジが切断されて、タンパーエビデントバンドの螺着回転方向の端部上面とキャップ本体の周壁下面とが強い脆弱ブリッジで繋がってタンパーエビデントバンドがキャップ本体から分離したときに、図２（ｂ）に示すように、螺脱回転方向のタンパーエビデントバンド（１２０）のキャップ本体（１１０）からの外側への開きが大きく、また、図３に示すように、タンパーエビデントバンド（１２０）の下面と液体用紙容器（２０）上面との間に、少なくとも０．３ｍｍの隙間（ｒ）が設けられているため、不正開封されたキャップ（キャップ本体とタンパーエビデントバンド）をスパウトに螺着して再封していても、一見して、不正開封されたことを明確に認知することができる。
【発明を実施するための最良の形態】
【０００９】
次に、本発明のタンパーエビデント機能付口栓の実施の形態について、図を用いて詳細に説明する。
【００１０】
図１は、実施形態１のタンパーエビデント機能付口栓の正面図であり、図２は、タンパーエビデントバンドの係止フラップの状態を下方から見た説明図で、（ａ）はキャップ本体を螺脱する前の状態で、（ｂ）はキャップ本体を螺脱した後の状態である。図３は、実施形態２のタンパーエビデント機能付口栓の正面図である。
【００１１】
実施形態１のタンパーエビデント機能付口栓（１０）は、図１に示すように、液体内容物を収納する液体用紙容器（２０）の口栓取付孔（２１）に、内付けで突設する口栓であり、スパウト（注出口具）（２００）とこのスパウトに螺着するキャップ１００）とから構成され、キャップは、キャップ本体（１１０）とこのキャップ本体の下方に接続するタンパーエビデントバンド（１２０）からなる。
【００１２】
スパウト（２００）の構造は、図１に示すように、環状台座部（２１０）に注出筒（２２０）を立設するものである。環状台座部（２１０）は、外周面上方に、周方向に等間隔に複数個（通常４個）の仮止め突起（２１１）を設け、外周下端に、液体用紙容器（２０）を熱融着する貼着フランジ（２３０）を周設するものである。注出筒（２２０）は、外周面に、キャップの雌ねじと螺合する雄ねじ（図示せず）と、その下方に図２（ａ）に示すタンパーエビデントバンド（１２０）の係止フラップ（１２４及び１２５）を係止する係止リング（図示せず）を設けたものである。
【００１３】
キャップ（１００）の構造は、図１に示すように、キャップ本体（１１０）の周壁（１１２）の下端に、タンパーエビデントバンド（１２０）を複数個の脆弱ブリッジ（１２３）と一個の他より強い脆弱ブリッジ（１２２）とで接続するものである。キャップ本体（１１０）は、天板（１１１）の下面に、スパウト（２００）の注出口を封止するためのインナー封止リング、コンタクト封止リングなどが設けられ、周壁の内周面に、スパウトの雄ねじと螺合する雌ねじ（図示せず）を設け、外周面に、指でスパウトに螺合しやすいようにローレット目（１１３）を設けるものである。
【００１４】
タンパーエビデントバンド（１２０）は、図２（ａ）に示すように、２個のタンパーエビデントバンド（１２０，１２０）を、隙間（１２１）を設けて、対向させて設けたものである。キャップ本体の周壁下面との接続は、図１に示すように、タンパーエビデントバンド（１２０）の螺着回転方向の端部上面とキャップ本体（１１０）の周壁（１１２）下面とを、キャップ（１００）の螺脱時に切断しない強い脆弱ブリッジ（１２２）で接続し、その他のタンパーエビデントバンド（１２０）の上面とキャップ本体（１１０）の下面とを、螺脱時に切断する複数個の脆弱ブリッジ（１２３）で周方向等間隔で接続するものである。なお、強い脆弱ブリッジは、キャップをスパウトから取り外したのち、手によってキャップ本体とタンパーエビデントバンドとを分離可能な強度に商品設計するものである。また、タンパーエビデントバンドの数は、１個であってもよい。
【００１５】
タンパーエビデントバンド（１２０）の内周面の周方向に設ける複数個の係止フラップは、図２（ａ）に示すように、螺着回転方向の端部側の係止フラップを、他の係止フラップ（１２５）より幅広にしてスパウトの注出筒との嵌合が強い係止フラップ（１２４）にするものである。また、図１に示すように、タンパーエビデントバンド（１２０）の下面とスパウト（２００）の環状台座部（２１０）の上面との間に、少なくとも０．３ｍｍの隙間（ｈ）を設けるものである。
【００１６】
次に、実施形態２のタンパーエビデント機能付口栓（１０）は、実施形態１の口栓と同様に、図３に示すように、液体内容物を収納する液体用紙容器（２０）の口栓取付孔（２１）に、内付けで突設する口栓であり、スパウト（２００）とこのスパウトに螺着するキャップ１００）とから構成され、キャップは、キャップ本体（１１０）とこのキャップ本
体の下方に接続するタンパーエビデントバンド（１２０）からなる。
【００１７】
スパウト（２００）の構造は、図３に示すように、環状台座部（２１０）に注出筒（２２０）を立設するものであり、環状台座部（２１０）の外周下端に、液体用紙容器（２０）を熱融着する貼着フランジ（２３０）を周設し、注出筒（２２０）は、外周面に、キャップの雌ねじと螺合する雄ねじ（図示せず）と、その下方に図２（ａ）に示すタンパーエビデントバンド（１２０）の係止フラップ（１２４及び１２５）を係止する係止リング（図示せず）を設けたものである。なお、実施形態１の口栓とは異なり、環状台座部の外周には仮止め突起を設けていない。
【００１８】
キャップ（１００）の構造は、図３に示すように、実施形態１の口栓と同様に、キャップ本体（１１０）の周壁（１１２）の下端に、タンパーエビデントバンド（１２０）を複数個の脆弱ブリッジ（１２３）と一個の他より強い脆弱ブリッジ（１２２）とで接続するものである。キャップ本体（１１０）は、天板（１１１）の下面に、スパウト（２００）の注出口を封止するためのインナー封止リング、コンタクト封止リングなどが設けられ、周壁の内周面に、スパウトの雄ねじと螺合する雌ねじ（図示せず）を設け、外周面に、指でスパウトに螺合しやすいようにローレット目（１１３）を設けるものである。
【００１９】
タンパーエビデントバンド（１２０）は、実施形態１の口栓と同様に、図２（ａ）に示すように、２個のタンパーエビデントバンド（１２０，１２０）を、隙間（１２１）を設けて、対向させて設けたものである。キャップ本体の周壁下面との接続は、図３に示すように、タンパーエビデントバンド（１２０）の螺着回転方向の端部上面とキャップ本体（１１０）の周壁（１１２）下面とを、キャップ（１００）の螺脱時に切断しない強い脆弱ブリッジで接続し、その他のタンパーエビデントバンドの上面とキャップ本体の下面とを、螺脱時に切断する複数個の脆弱ブリッジで周方向等間隔で接続するものである。なお、強い脆弱ブリッジは、キャップをスパウトから取り外したのち、手によってキャップ本体とタンパーエビデントバンドとを分離可能な強度に商品設計するものである。また、タンパーエビデントバンドの数は、１個であってもよい。
【００２０】
タンパーエビデントバンド（１２０）の外周面上方には、図３に示すように、複数個（通常４個）の仮止め突起（２１１）を周方向に等間隔に設けており、タンパーエビデントバンド（１２０）の内周面の周方向に設ける複数個の係止フラップは、図２（ａ）に示すように、実施形態１と同様に、螺着回転方向の端部側の係止フラップを、他の係止フラップ（１２５）より幅広にしてスパウトの注出筒との嵌合が強い係止フラップ（１２４）にするものである。また、図３に示すように、タンパーエビデントバンド（１２０）の下面と液体用紙容器（２０）上面との間に、少なくとも０．３ｍｍの隙間（ｒ）を設けるものである。
【図面の簡単な説明】
【００２１】
【図１】本発明の一実施形態のタンパーエビデント機能付口栓の正面図である。
【図２】タンパーエビデントバンドの係止フラップの状態を下方から見た説明図であり、（ａ）は、キャップ本体を螺脱する前の状態であり、（ｂ）は、キャップ本体を螺脱した後の状態である。
【図３】本発明の他の一実施形態のタンパーエビデント機能付口栓の正面図である。
【符号の説明】
【００２２】
１０……口栓
２０……液体用紙容器
２１……口栓取付孔
１００……キャップ                                                              １１０……キャップ本体
１１１……天板
１１２……周壁
１２０……タンパーエビデントバンド
１２１，ｈ，ｒ……隙間
１２２……強い脆弱ブリッジ
１２３……脆弱ブリッジ
１２４……強い係止フラップ
１２５……係止フラップ
１２６，２１１……仮止め突起
２００……スパウト
２１０……環状台座部
２２０……注出筒
２３０……貼着フランジ
Ｘ……螺着回転方向
Ｙ……螺脱回転方向
【図１】
0005104114.tif 000002
【図２】
0005104114.tif 000003
【図３】
0005104114.tif 000004